(57)【要約】      （修正有）【課題】給水設備のアラーム表示ランプを提供する。【解決手段】給水設備のアラーム表示ランプ１は蛇口或いはシャワーヘッド等の給水設備内に取付けられ、水流通過により駆動され発電するマイクロタイプ水力発電機２０を包含し、該マイクロタイプ水力発電機はコントロールユニットと光源を包含するランプシート３０に給電する。又、温度センサ４０と流量検出器がそれぞれ通過する水流の温度と流量を検出するのに用いられ、並びに信号をコントロールユニットに送り、コントロールユニットに水流温度と流量に応じて適宜上述の光源を制御させ、該光源に各種の色光、点滅等の変化を発生させ、これにより、アラーム表示ランプに、水温、流量のアラーム表示、殺菌及び照明等の機能を共に具備させた。【選択図】図４
0003168285.tif 000002
【実用新案登録請求の範囲】
【請求項１】
給水設備のアラーム表示ランプにおいて、内部に水流チャネルを有する給水設備内に取付けられ、
該給水設備の水流チャネルの所定の部位内に取付けられ、並びに水流を通過させることで水力発電するマイクロタイプ水力発電機と、
該給水設備の所定部位内に取付けられ、並びに上述のマイクロタイプ水力発電機により必要な電力を供給され、コントロールユニットと、該コントロールユニットに電気的に接続されて該コントロールユニットに制御されて発光する光源とを包含するランプシートと、
上述のランプシートの該コントロールユニットに接続され、上述の給水設備内部の水流チャネルを通過する水流温度を検出し、並びに温度検出信号を該コントロールユニットに伝送し、該コントロールユニットに水流温度により該光源を制御させてアラーム表示を発生させる温度センサと、
上述のランプシートの該コントロールユニットに接続され、上述の給水設備内部の水流チャネルを通過する水流量を検出し、並びに流量検出信号を該コントロールユニットに伝送し、該コントロールユニットに水流量により該光源を制御させてアラーム表示を発生させる流量検出器と、
を包含したことを特徴とする、給水設備のアラーム表示ランプ。
【請求項２】
請求項１記載の給水設備のアラーム表示ランプにおいて、上述の光源が第１光源と第２光源を包含し、該コントロールユニットは水流温度により該第１光源を制御してアラーム表示を発生させ、及び水流量により該第２光源を制御してアラーム表示を発生させることを特徴とする、給水設備のアラーム表示ランプ。
【請求項３】
請求項２記載の給水設備のアラーム表示ランプにおいて、上述の第１光源及び又は第２光源が色変化のアラーム表示を発生することを特徴とする、給水設備のアラーム表示ランプ。
【請求項４】
請求項２記載の給水設備のアラーム表示ランプにおいて、上述の第１光源及び又は第２光源が灯光点滅のアラーム表示を発生することを特徴とする、給水設備のアラーム表示ランプ。
【請求項５】
請求項２記載の給水設備のアラーム表示ランプにおいて、上述の第１光源及び又は第２光源がそれぞれ少なくとも一つのＬＥＤランプを包含することを特徴とする、給水設備のアラーム表示ランプ。
【請求項６】
請求項５記載の給水設備のアラーム表示ランプにおいて、上述の第１光源及び又は第２光源は給水設備のアラーム表示ランプの出水口部分に取付けられ、該出水口の出水方向に向けて照射し、その輻射光束は所定間隔を以て該出水口より流出する水流周囲区域に分布することを特徴とする、給水設備のアラーム表示ランプ。
【請求項７】
請求項２記載の給水設備のアラーム表示ランプにおいて、上述の第１光源及び又は第２光源は給水設備のアラーム表示ランプのハウジングに取付けられ、並びに該ハウジングに該第１光源及び又は第２光源に対応して設置された少なくとも一つの透光部位より外向きに照射されることを特徴とする、給水設備のアラーム表示ランプ。
【請求項８】
請求項７記載の給水設備のアラーム表示ランプにおいて、上述の透光部位は開口とされることを特徴とする、給水設備のアラーム表示ランプ。
【請求項９】
請求項７記載の給水設備のアラーム表示ランプにおいて、上述の透光部位は透光板とされることを特徴とする、給水設備のアラーム表示ランプ。
【請求項１０】
請求項２記載の給水設備のアラーム表示ランプにおいて、上述の第１光源及び又は第２光源はそれぞれ少なくとも一つの紫外線ランプを包含することを特徴とする、給水設備のアラーム表示ランプ。
【請求項１１】
請求項１記載の給水設備のアラーム表示ランプにおいて、上述のマイクロタイプ水力発電機の上端に少なくとも一つの流入口が設けられ、上述の給水設備内部の水流チャネルの水流が該流入口より流入し、底端に該流入口に連通する少なくとも一つの流出口が設けられ、該マイクロタイプ水力発電機内に進入する水流が該流出口より流出して必要な水力発電を行うことを特徴とする、給水設備のアラーム表示ランプ。
【請求項１２】
請求項１記載の給水設備のアラーム表示ランプにおいて、ハウジングをさらに包含し、該ハウジングは該給水設備の出水口部分に取付けられ、該ハウジングは該出水口に対応する入口と、出口、及び該入口と該出口の間に位置するチャンバを包含し、該チャンバ内に上述のマイクロタイプ水力発電機が取付けられることを特徴とする、給水設備のアラーム表示ランプ。
【請求項１３】
請求項１２記載の給水設備のアラーム表示ランプにおいて、上述のランプシートは該ハウジングの出口部分に取付けられ、該ランプシートに中央チャネルが画定されて、該マイクロタイプ水力発電機を通過する水流が該中央チャネルを通過して中央出水を形成し、該光源は該ランプシートの中央チャネルの周囲に取付けられ、且つ発射する輻射光束は所定間隔距離で該中央出水の周囲区域に分布することを特徴とする、給水設備のアラーム表示ランプ。
【請求項１４】
請求項１３記載の給水設備のアラーム表示ランプにおいて、さらに水波生成器を包含し、該水波生成器は該ランプシートの中央チャネル部分に取り付けられることを特徴とする、給水設備のアラーム表示ランプ。
【請求項１５】
請求項１３記載の給水設備のアラーム表示ランプにおいて、上述のランプシートはさらに座体を包含し、該座体は環状壁を具え、該環状壁内部に上述の中央チャネルが画定され、該環状壁の上縁に環状溝が凹設されて、該コントロールユニットが内側に取付けられ、該環状溝の底壁を貫通して少なくとも一つの光源孔が設けられ、上述の光源がその内部に突伸し、該光源はＬＥＤランプとされることを特徴とする、給水設備のアラーム表示ランプ。
【請求項１６】
請求項１５記載の給水設備のアラーム表示ランプにおいて、上述の座体の中央チャネルの下方近くに水波生成器が螺接されたことを特徴とする、給水設備のアラーム表示ランプ。
【請求項１７】
請求項１５記載の給水設備のアラーム表示ランプにおいて、上述のコントロールユニットはマイクロプロセッサとされ、且つ該座体の環状溝に嵌合する環形回路板の一側に固定され、該ＬＥＤランプは該回路板の該マイクロプロセッサと同側に固定されて、該光源孔中に突伸し、該温度センサは該回路板の別側に固定されて、該マイクロタイプ水力発電機を通過する水流温度を測定することを特徴とする、給水設備のアラーム表示ランプ。
【請求項１８】
請求項１５記載の給水設備のアラーム表示ランプにおいて、上述の座体の環状溝の底壁に等角度に分布する三つから五つの貫通する光源孔が設けられ、それぞれＬＥＤランプが該光源孔の内部に突伸することを特徴とする、給水設備のアラーム表示ランプ。
【請求項１９】
請求項１２記載の給水設備のアラーム表示ランプにおいて、上述のハウジングの入口部分に管継手が形成されて、該給水設備の出水口と相互に螺接されたことを特徴とする、給水設備のアラーム表示ランプ。
【請求項２０】
請求項１２記載の給水設備のアラーム表示ランプにおいて、上述のハウジングのチャンバが上方チャンバと下方チャンバを包含し、該上方チャンバ内に該マイクロタイプ水力発電機が取付けられ、該下方チャンバ内に該ランプシートが取付けられることを特徴とする、給水設備のアラーム表示ランプ。
【請求項２１】
請求項２０記載の給水設備のアラーム表示ランプにおいて、さらに緊迫リングを包含し、該緊迫リングは該ハウジングの出口部分に螺合されて、該ランプシートを該下方チャンバ中に位置制限することを特徴とする、給水設備のアラーム表示ランプ。
【請求項２２】
請求項２０記載の給水設備のアラーム表示ランプにおいて、該マイクロタイプ水力発電機はケーシングを包含し、該ケーシングは上方部位、中間部位、及び下方部位を包含し、該上方部位は該ハウジングの上方チャンバと相互に密封、位置制限され、且つ上端に少なくとも一つの流入口が設けられ、底端周囲に該流入口に連通する少なくとも一つの流出口が設けられ、該中間部位と下方部位の周壁は、該上方チャンバ内にあって、それぞれ相互に連通する水流チャネルを画定し、該水流チャネルは該流出口及び該ランプシート上の中央チャネルと連通することを特徴とする、給水設備のアラーム表示ランプ。
【考案の詳細な説明】
【技術分野】
【０００１】
本考案は一種のアラーム表示装置に係り、さらに詳しくは、蛇口或いはシャワーヘッド等の給水設備に取付けられ、並びに水力発電を利用し検出された水流の温度、流量によりアラーム表示効果を発生するアラーム表示ランプに関する。
【背景技術】
【０００２】
給水設備、特に蛇口は、ほとんどが単純な給水機能しか具備せず、蛇口の取付け場所によっては、電力供給設備の不足や、線路配置施工の不便等の多くの原因により、照明設備が配置されておらず、薄暗いとき或いは夜間に、使用者が光線不足のためによく見えず、蛇口の用水操作に影響が生じることが常に発生する。
【０００３】
このため、特許文献１において、光源を有する水波生成器が開示され、それは該蛇口からの水流が該水波生成器を通過する時に、水力発電可能で、それに設置された発光素子に照明作用を発生させ、使用者に用水操作に必要な照明を提供し、こうして、一般の照明設備の助けによらず、エネルギーを節約して環境保護要求に符合し、さらに操作上の視覚効果と用水の楽しさをアップできるようにしている。
【先行技術文献】
【特許文献】
【０００４】
【特許文献１】台湾実用新案第Ｍ３４４３５７号
【考案の概要】
【考案が解決しようとする課題】
【０００５】
しかし、特許文献１の技術は単純に照明機能を提供するだけであり、消費者の要求を満足させることはできず、特に、冷熱水の給水機能を有する蛇口の場合、使用者は常に手で触って水温を確かめる必要があり、ゆえに凍傷或いは火傷を負いやすく、用水の心情にも影響を与えた。
【０００６】
現在、市場には温度表示機能を有する蛇口はあるが、それらはいずれも直接外部電源を供給し、コストが高いのみならず、外部から電力を引き込む電源線に漏電の危険が常にある。
【課題を解決するための手段】
【０００７】
本考案は一種の給水設備に適用されるアラーム表示ランプを提供し、それは、蛇口或いはシャワーヘッド等の給水設備内に取付けられ、水流通過により駆動され発電するマイクロタイプ水力発電機を包含し、該マイクロタイプ水力発電機はコントロールユニットと光源を包含するランプシートに給電し、温度センサと流量検出器がそれぞれ通過する水流の温度と流量を検出するのに用いられ、並びに信号をコントロールユニットに送り、コントロールユニットに水流温度と流量に応じて適宜上述の光源を制御させ、該光源に各種の色光、点滅等の変化を発生させる。該光源はＬＥＤランプ或いは紫外線ランプとされ得て、並びに出水部の周囲に分布し、該給水設備より外向きに照射する。
【考案の効果】
【０００８】
本考案の提供するアラーム表示ランプは、水温、流量の検出に基づきアラーム表示作用を発生し、これにより、使用者は該アラーム表示により温度と流量の用水情報を獲得でき、用水の安全性をアップするほか、用水の楽しさを添える。紫外線ランプ使用時には、通過する水流に対して殺菌効果を発生できる。
【図面の簡単な説明】
【０００９】
【図１】本考案の第１実施例のアラーム表示ランプの外観組合せ図である。
【図２】本考案の第１実施例のアラーム表示ランプの立体分解図である。
【図３】本考案の第１実施例のアラーム表示ランプの別の立体分解図である。
【図４】本考案の第１実施例のアラーム表示ランプの側面断面図である。
【図５】本考案の第１実施例のハウジングの側面断面図である。
【図６】本考案の第１実施例の座体の立体外観図である。
【図７】本考案の第１実施例の回路板とその上のコントロールユニット、ＬＥＤランプ、温度センサの外観組合せ図であり、並びに回路板部分の未パッケージ状態を表示している。
【図８】本考案の第１実施例のアラーム表示ランプを蛇口の出水口部分に取り付けた状態の側面断面図であり、並びに内部水流経路を示している。
【図９】本考案の第２実施例のアラーム表示ランプの局部立体分解図である。
【図１０】本考案の第３実施例のアラーム表示ランプを蛇口に取り付けた立体外観図である。
【図１１】本考案の第４実施例のアラーム表示ランプをシャワーヘッドに取り付けた外観図である。
【考案を実施するための形態】
【００１０】
図１には、本考案の給水設備のアラーム表示ランプの第１実施例が示される。該アラーム表示ランプ１は、給水設備２中、例えば蛇口或いはシャワーヘッド等に取付けられる。図８に示されるように、本実施例は蛇口の出水口２ａ部分に取付けられ、該出水口２ａは雌ネジ２ｂを有する。
【００１１】
図２から図４に示されるように、本実施例のアラーム表示ランプ１は、ハウジング１０、マイクロタイプ水力発電機２０、ランプシート３０、温度センサ４０、緊迫リング５０及び水波生成器６０を包含する。以下にそれぞれの構成要件について説明する。
【００１２】
該ハウジング１０は、図５に示されるように、略円管状を呈し、上端に位置する入口１１、底端に位置する出口１２、及び該入口１１と出口１２の間のチャンバ１３を有する。本実施例のチャンバ１３はさらに上方チャンバ１４と孔径が該上方チャンバ１４より大きい下方チャンバ１５を包含し、該上方チャンバ１４は階段上縁１４１を具えている。該下方チャンバ１５は階段上縁１５１を有する。また、該ハウジング１０の上端は管継手１６を具え、該管継手１６に雄ネジ１６１が設けられて出水口２ａの雌ネジ２ｂと相互に螺接固定され、並びに底端の出口１２部分に雌ネジ１２１が設置されている。
【００１３】
該マイクロタイプ水力発電機２０については、該ハウジング１０の上方チャンバ１４中に取付けられ、水流が該出水口２ａより該入口１１に流入した後、該マイクロタイプ水力発電機２０を駆動して電力を生成させる。
【００１４】
該マイクロタイプ水力発電機２０はほぼ周知のものと同じであり、ケーシング２１、及び該ケーシング２１内部に取付けられる発電アセンブリ（図示せず）を包含し、該発電アセンブリは一般的な羽根、固定子部分、回転子部分、電源線等で構成された部品である。水流が該ケーシング２１内部に進入した後、羽根に衝突して羽根を回転させ、並びに回転子部分とされ得る磁性素子を連帯回転させ、固定子部分とされ得る捲線セットを励磁し電力を発生させ、該電力をさらに該電源線を通して出力する。該マイクロタイプ水力発電機の発電原理と構造組成は周知の技術に属するため、ここでは多くを説明しない。
【００１５】
特に説明すべきことは以下のとおりである。本実施例のマイクロタイプ水力発電機のケーシング２１は上方部位２１ａ、中間部位２１ｂ、及び下方部位２１ｃを有する。該上方部位２１ａの上端は該上方チャンバ１４の階段上縁１４１と当接し位置制限され、且つ周壁に二つのシールパッキン２１１が嵌合されて、該ハウジング１０の上方チャンバ１４の孔壁と相互に密封し、並びに上端に複数の流入口２１２が開設され、底端周囲に複数の該流入口２１２に連通する流出口２１３が開設されている。また、中間部位２１ｂは比較的小さい直径を有し、且つ該下方部位２１ｃの周壁に三つの切り揃え面２１４が設けられ、該上方チャンバ１４の孔壁と適宜距離離間し、並びにそれぞれ相互に連通する水流チャネル２１５、２１６を画定し、該水流チャネル２１５は該流出口２１３と連通する。
【００１６】
該ランプシート３０は、図６、図７に示されるように、さらに座体３１、コントロールユニット３２及び第１光源３４を包含する。
【００１７】
そのうち、該座体３１は環状体を呈し、該ハウジング１０の下方チャンバ１５中に位置決めされ、該座体３１は環状壁３１１を有し、その内部に中央チャネル３１２を画定し、上端に環状溝３１３が凹設されている。該環状壁３１１は環状溝３１３の外側にあって外側上縁３１４を形成し、該下方チャンバ１５の階段上縁１５１と相互に当接し位置制限され、並びに該環状溝３１３の内側に高さが該外側上縁３１４より低い内側上縁３１５が形成されて、該上方チャンバ１４に取り付けられたマイクロタイプ水力発電機２０の底部と適宜距離離間し、図４に示されるように、該マイクロタイプ水力発電機２０の下方部位２１ｃの水流チャネル２１６がこの距離により形成された流通空間により該座体３１の中央チャネル３１２と環状溝３１３の上端と相互に連通する。
【００１８】
また、該環状壁３１１の外周壁に二つのシールパッキン３１６が嵌合されて、該ハウジング１０の下方チャンバ１５の孔壁と相互に密封する。また、該環状溝３１３の底部に等角度に三つの光源孔３１７が設けられている。また、該中央チャネル３１２の下半部は比較的大きな孔径を有し、これにより階段上縁３１８が形成され、並びに孔壁に雌ネジ３１９が設けられている。
【００１９】
該コントロールユニット３２は、本実施例ではマイクロプロセッサとされ、上述のマイクロタイプ水力発電機２０に電力を供給し、並びに絶縁と防水効果を有するパッケージ材料３３１で適宜環形回路板３３の底側に被覆固定されている。該環形回路板３３は該座体３１の環状溝３１３内に収容される。
【００２０】
該第１光源３４は、本実施例では三つのＬＥＤランプ３４０とされ、上述のコントロールユニット３２と電気的に接続され、並びに等角度に該環形回路板３３において該マイクロプロセッサと反対側である底側に取付けられ、これにより各ＬＥＤランプ３４０は座体３１の各光源孔３１７中に突伸する。
【００２１】
該温度センサ４０に関しては、上述のランプシート３０のコントロールユニット３２に接続されて、該出水口２ａを流れる水流の温度を検出するのに用いられ、並びに水温検出信号を該コントロールユニット３２に送り信号処理に供し、該コントロールユニット３２に水温により上述のＬＥＤランプ３４０を制御させてＬＥＤランプ３４０に色の変化を発生させる。
【００２２】
本実施例の温度センサ４０は該回路板３３の上側の周囲付近に固定されて、組立後に該マイクロタイプ水力発電機２０の下方部位２１ｃ周囲に形成された水流チャネル２１６内に突伸し、こうして、該水流チャネル２１６を通過する水流の温度を検出できる。
【００２３】
緊迫リング５０に関しては、環状体を呈し、その外周壁に雄ネジ５１が設けられて、該ハウジング１０の出口１２部分の雌ネジ１２１と相互に螺合されて、ランプシート３０の座体３１をこれによりハウジング１０の下方チャンバ１５内に圧迫固定する。該緊迫リング５０の径方向厚さは適宜制限される必要があり、原則的には、組立時に、該座体３１の各光源孔３１７の延伸範囲を超えないのがよい。こうして、上述のＬＥＤランプ３４０が発生する輻射光速が完全に順調に通過できるようにし、遮蔽、阻止されないようにする。
【００２４】
該水波生成器６０は周知の部品に属し、その外周壁に雄ネジ６１が設けられて、上述のランプシート３０の中央チャネル３１２下半部の雌ネジ３１９と相互に螺合され、並びにその階段上縁３１８と当接し位置制限される。
【００２５】
図１から図４に示されるように、本考案のアラーム表示ランプ１を組み立てる時は、まず、回路板３３をその上のコントロールユニット３２、各ＬＥＤランプ３４０、温度センサ４０と共に座体３１上に取付け、上述のランプシート３０を形成し、その後、さらに該マイクロタイプ水力発電機２０をハウジング１０の上方チャンバ１４内に取付ける。その後、該ランプシート３０を下方チャンバ１５内に取り付ける。最後に、上述の緊迫リング５０及び水波生成器６０を螺合させれば、アラーム表示ランプ１の組立作業を完成する。
【００２６】
該アラーム表示ランプ１はただ該ハウジング１０の上端の管継手１６を上述の蛇口の出水口２ａに螺合させて固定するだけで、図８に示されるように、簡単スピーディーに取付け作業を完成できる。
【００２７】
図８に示されるように、本考案のアラーム表示ランプ１が給水設備に取付けられた後、使用者が蛇口を開くと、給水管路からの水流は、出水口２ａより順に、上述のマイクロタイプ水力発電機２０の流入口２１２、流出口２１３、中間部位２１ｂと下方部位２１ｃの水流チャネル２１５、２１６、ランプシート３０の中央チャネル３１２、及び水波生成器６０をとおり、中央出水を形成する。
【００２８】
そのうち、本実施例の水流はまた、ランプシート３０の環状溝３１３上方を流れ得る。注意すべきことは、以下のとおりである。水流が該マイクロタイプ水力発電機２０を通過する時、その内部の発電アセンブリを駆動して電力を生成させ、並びに電源線によりその電力を回路板３３上のコントロールユニット３２に出力し、また該コントロールユニット３２を通して各ＬＥＤランプを駆動しランプアラーム表示と照明作用を発生する。
【００２９】
また、該温度センサ４０は、水流チャネル２１６を通過し及び環状溝３１３上方を流れる水流温度を検出でき、並びに水流温度により水温検出信号をコントロールユニット３２に伝送する。該コントロールユニット３２は水温により各ＬＥＤランプ３４０に対応する灯光変化を発生させる。
【００３０】
そのうち、上述のＬＥＤランプ３４０の発射する輻射光束は、各光源孔３１７に沿って下向きに照射され、さらに各光源孔３１７の内壁面の制限を受ける。これにより、各輻射光束が均一に中央出水の周囲に分布し、並びに中央出水から適宜距離離間し、直接中央出水の水流を照射することがない。
【００３１】
これにより、使用者は外部より中央出水を観る時、輻射光束により中央出水の水流を観ることができ、これにより、視覚上、該中央出水の水流の色が該輻射光束の色に対応する。当然、視覚上、該水流の色も水流温度の変化に対応する変化を発生する。これにより、使用者は簡単に視覚上の水流の色の変化により水温を判断できる。
【００３２】
例えば、水流が赤すぎれば、水温が高すぎることを示す。反対に水流が青すぎれば、水温が低すぎることを示す。使用者が水温と色の変化の間の関係を了解しやすいように、水温と色変化の関係対照表が組み合わされ得る。
【００３３】
本考案の上述の第１実施例のアラーム表示ランプ１は、そのハウジング１０の主要の目的がマイクロタイプ水力発電機２０とランプシート３０の取付けに必要な空間を提供し、並びに蛇口の出水口２ａに螺合して取付けることにある。しかし、該ハウジング１０は必ずしも必要な部品ではなく、異なるタイプのマイクロタイプ水力発電機（図示せず）においては、そのケーシングの上端にハウジング１０の管継手１６に類似の構造が形成され、ゆえに、直接出水口２ａに螺合、固定でき、上述のハウジング１０を介する必要はない。
【００３４】
また、あるマイクロタイプ水力発電機の流出口は底端部分に設置されているため、このようなマイクロタイプ水力発電機の底端に一体に、上述のハウジング１０の下方チャンバ１５に類似のチャンバ構造を形成し、並びに上述のランプシート３０を内部に取り付けてもよく、これにより流水口より流出する水流は、ランプシート３０をとおり上述の中央出水を形成し、且つ、ランプシート３０上の温度センサ４０により通過する水流温度を検出し、さらにその上のＬＥＤランプ３４０によりランプアラーム表示と照明作用を提供できる。当然、上述の緊迫リング５０を組み合わせてランプシート３０を固定してもよく、ならびに必要により上述の水波生成器６０を取付け、上述のハウジング１０を必要としない給水設備のアラーム表示ランプを構成する。
【００３５】
図９は本考案の第２実施例のアラーム表示ランプ１ａを示し、それはほぼ第１実施例と同じであるが、その違いは以下のとおりである。本実施例ではさらに、流量検出器７０と第２光源３５を包含する。
【００３６】
そのうち、該流量検出器７０は、上述のランプシート３０のコントロールユニット３２に接続されて、該出水口２ａより流出する水流量を検出し、並びに流量検出信号を該コントロールユニット３２に伝送して信号処理に供する。
【００３７】
本実施例の流量検出器７０は回路板３３の上側の周辺近くに固定され、その組立後にちょうど該マイクロタイプ水力発電機２０の下方部位２１ｃ周囲に形成された水流チャネル２１６内に突伸し、これにより水流チャネル２１６を流れる水流量を検出できる。
【００３８】
該第２光源３５は、本実施例では少なくとも一つのＬＥＤランプ３５１を包含し、上述のコントロールユニット３２に電気的に接続され、並びに該ハウジング１０の周囲の壁を貫通する少なくとも一つの光源孔１７より適宜突伸し、且つ上述のコントロールユニット３２は流量により該ＬＥＤランプ３５１を制御して色光或いは点滅変化等のアラーム表示作用を発生させ、使用者は該ＬＥＤランプ３５１が外界に向けて発射する輻射光束により灯光の色或いは点滅変化を観ることができる。
【００３９】
例えば、灯光の色が赤すぎる時は、流量が大すぎ、反対に灯光の色が青すぎる時は、流量が少なすぎる。同様に、灯光点滅の頻度が高すぎる時は、流量が多すぎ、その逆に点滅頻度が低すぎるときは、流量が少なすぎることを示す。該ＬＥＤランプ３５１の灯光アラーム表示作用により、使用者に流量のアラーム情報を提供でき、使用者はこのような流量情報により適宜流量を切り換え制御でき、これによりエネルギー節約、節水の効果を達成できる。
【００４０】
図１０は本考案の第３実施例のアラーム表示ランプ１ｂを示し、それはほぼ第２実施例と同じであるが、違いは以下のとおりである。該第１光源３４のＬＥＤランプ３４１と第２光源３５のＬＥＤランプ３５１が、それぞれ蛇口とされ得る給水設備２のベース２ｃに取付けられる。そのうち、該ベース２ｃの壁面に少なくとも二つの光源孔２ｄが設置され、それぞれ上述のＬＥＤランプ３４１、３５１がこれより適宜突伸し、使用者はＬＥＤランプ３４１、３５１の発生する灯光アラーム表示作用により、水温と流量の変化を知ることができる。
【００４１】
本考案のアラーム表示ランプは上述の各実施例の態様に限定されるわけではなく、原則上、ただ上述のマイクロタイプ水力発電機２０、ランプシート３０、温度センサ４０、或いは流量検出器７０を包含するだけで、本考案の技術精神に符合する。
【００４２】
これにより、図１１に示されるように、本考案の第４実施例のアラーム表示ランプ１ｃは、シャワーヘッドとされる給水設備２に取付け可能であり、実施時には、ただマイクロタイプ水力発電機２０がシャワーヘッドの内部の水路中に取付けられて、水流の通過により水力発電でき、並びに温度センサ４０と流量検出器７０が内部水路中に取付けられて、水温と流量を検出でき、ランプシート３０上の第１光源３４と第２光源３５が必要に応じて選択的にシャワーヘッドの適宜位置に取付けられ得る。例えば、第１光源３４のＬＥＤランプ３４１がシャワーヘッドの出水面カバーの周囲に取り付けられて、シャワー水流に灯光表示変化を発生させ、並びに第２光源３５のＬＥＤランプ３５１がシャワーヘッドのハンドル或いはその他の部分に取付けられ、こうして、該シャワーが水温と流量のアラーム表示作用を具備するものとされる。
【００４３】
本考案のアラーム表示ランプのコントロールユニット３２はさらに表示ユニット３６に電気的に接続されて、水流温度と流量表示するものとされ得る。そのうち、該表示ユニット３６は液晶ディスプレイ（ＬＣＤ）とされ得て、図１０に示されるように、並びに給水設備２の適宜位置に取付けられ得る。
【００４４】
本考案のアラーム表示ランプの上述の第１光源３４或いは第２光源３５は上述の取付け位置に限定されるわけではなく、それが給水設備２内部に取り付けられ、或いは上述のハウジング１０内部に取付けられ、並びに通過する水流に照射作用を発生する時、それは、紫外線ランプを採用してもよく、それにより通過する水流に対して殺菌の効果を発生できる。
【００４５】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【００４６】
総合すると、本考案は同類の製品中にあって、極めて良好な進歩性と実用性を有し、また国内外のこの分野の構造に係る技術資料において、同じ構造の存在は未だなく、ゆえに本考案は実用新案登録の要件を具備すると考え、ここに出願する次第である。
【符号の説明】
【００４７】
１  アラーム表示ランプ            １ａ  アラーム表示ランプ
１ｂ  アラーム表示ランプ          １ｃ  アラーム表示ランプ
２  給水設備
２ａ  出水口                      ２ｂ  雌ネジ
２ｃ  ベース                      ２ｄ  光源孔
１０  ハウジング
１１  入口                        １２  出口
１２１  雌ネジ                    １３  チャンバ
１４  上方チャンバ                １４１  階段上縁
１５  下方チャンバ                １５１  階段上縁
１６  管継手                      １６１  雄ネジ
１７  光源孔
２０  マイクロタイプ水力発電機
２１  ケーシング                  ２１ａ  上方部位
２１ｂ  中間部位                  ２１ｃ  下方部位
２１１  シールパッキン            ２１２  流入口
２１３  流出口                    ２１４  切り揃え面
２１５  水流チャネル              ２１６  水流チャネル
３０  ランプシート
３１  座体                        ３１１  環状壁
３１２  中央チャネル              ３１３  環状溝
３１４  外側上縁                  ３１５  内側上縁
３１６  シールパッキン            ３１７  光源孔
３１８  階段上縁                  ３１９  雌ネジ
３２  コントロールユニット        ３３  回路板
３３１  パッケージ材料            ３４  第１光源
３４１  ＬＥＤランプ              ３５  第２光源
３５１  ＬＥＤランプ              ３６  表示ユニット
４０  温度センサ
５０  緊迫リング                  ５１  雄ネジ
６０  水波生成器                  ６１  雄ネジ
７０  流量検出器
【図１】
0003168285.tif 000003
【図２】
0003168285.tif 000004
【図３】
0003168285.tif 000005
【図４】
0003168285.tif 000006
【図５】
0003168285.tif 000007
【図６】
0003168285.tif 000008
【図７】
0003168285.tif 000009
【図８】
0003168285.tif 000010
【図９】
0003168285.tif 000011
【図１０】
0003168285.tif 000012
【図１１】
0003168285.tif 000013